(57)【特許請求の範囲】
【請求項１】
光を集光し結像させるレンズと、そのレンズにより結像された光を光電変換するフォトセンサ部及び、その光電変換された電荷をトランスファゲートを介して入力し、順次転送する転送レジスタ部を有する撮像素子と、その撮像素子の駆動制御信号を出力するタイミングジェネレータとを備え、前記タイミングジェネレータは、前記撮像素子が多重露光となるように、前記転送レジスタ部の電荷が所定画素分転送される毎に、前記フォトセンサ部の光電荷を前記転送レジスタ部へ入力させるように駆動制御信号を出力することにより、前記撮像素子による撮像信号のフィルタリングを行うことを特徴とする撮像装置。
【請求項２】
前記転送レジスタ部は、前記フォトセンサ部の電荷蓄積容量に対し、少なくとも前記多重露光の回数倍の電荷蓄積容量を有することを特徴とする請求項１記載の撮像装置。
【請求項３】
前記撮像素子は、前記多重露光時のそれぞれの露光時間が制御されることによりフィルタ特性が変更されることを特徴とする請求項１記載の撮像装置。
【請求項４】
前記多重露光時のそれぞれの露光時間の合計が、通常の露光時間と等しくなるように、前記多重露光時の各露光時間が制御されることを特徴とする請求項３記載の撮像装置。
【請求項５】
前記多重露光時のそれぞれの露光時間は、前記通常の露光時間に対して予め設定した比率により分配することを特徴とする請求項４記載の撮像装置。
【請求項６】
前記通常の露光時間は、自動露光調節機能により求めることを特徴とする請求項４、又は５記載の撮像装置。
【請求項７】
前記露光時間の比率は、各種系に対するフィルタ特性をそれぞれ比率とする系のモードとして設定しておき、それら系のモードの中から最適なものを選択して決定することを特徴とする請求項５記載の撮像装置。
【請求項８】
前記系のモードは、必要画素により決定することを特徴とする請求項７記載の撮像装置。
【請求項９】
前記撮像装置は、前記撮像素子からの撮像信号をディジタル信号に変換するＡ／Ｄ変換器を更に有し、前記Ａ／Ｄ変換器のサンプリング周波数は、前記必要画素により切り換えられることを特徴とする請求項８記載の撮像装置。
【請求項１０】
前記撮像装置は、前記撮像素子からの撮像信号の処理を行うプロセス回路を更に有し、前記プロセス回路のリサンプリング周波数は、前記必要画素により切り換えられることを特徴とする請求項８記載の撮像装置。
【請求項１１】
前記系のモードは、絵柄の種類に対応していることを特徴とする請求項７記載の撮像装置。
【請求項１２】
前記系のモードは、撮像対象となるフィルムの種類に対応していることを特徴とする請求項７記載の撮像装置。
【請求項１３】
前記多重露光時の各露光時間は、前記トランスファゲートを制御するゲート制御信号により制御されることを特徴とする請求項５記載の撮像装置。
【請求項１４】
前記多重露光時の各露光時間は、不要電荷排出用制御信号により制御されることを特徴とする請求項５記載の撮像装置。
【請求項１５】
前記転送レジスタ部の電荷排出時間は、前記多重露光時の各露光時間の内最初の露光時間以内とすることを特徴とする請求項５記載の撮像装置。
【請求項１６】
前記多重露光の回数を制御することにより前記フィルタ特性を変更することを特徴とする請求項１記載の撮像装置。
【請求項１７】
前記多重露光の回数は、前記系のモードに応じて決定することを特徴とする請求項１６記載の撮像装置。
【請求項１８】
前記多重露光時の各々の露光時間及び前記多重露光の回数を制御することにより前記フィルタ特性を変更することを特徴とする請求項１記載の撮像装置。
【請求項１９】
前記撮像素子は、エリアセンサであることを特徴とする請求項１記載の撮像装置。
【請求項２０】
前記撮像素子は、ラインセンサであることを特徴とする請求項１記載の撮像装置。
【発明の詳細な説明】
【０００１】
【産業上の利用分野】
本発明は、エリアセンサ、ラインセンサ等のＣＣＤに代表される撮像素子により画像データを得るイメージスキャナー等の撮像装置に関するものである。
【０００２】
【従来の技術】
一般に、イメージスキャナー等の撮像装置にはＣＣＤ撮像素子が用いられている。従来の撮像装置は、例えば図１９に示すように、光を集光し結像させるレンズ１、そのレンズ１を通過する光量を最適に調節する絞り２、レンズ１により得られた結像光を電気信号に変換するＣＣＤ３、そのＣＣＤ３からの出力信号を２重相関サンプリングするＣＤＳ回路４、そのＣＤＳ回路４からのアナログデータ出力をデジタルデータに変換するＡ／Ｄ変換器５、その変換されたデジタルデータの高周波成分を帯域制限するローパスフィルタ（ＬＰＦ）６、そのＬＰＦ６を通過した映像データの処理を行うプロセス回路７、プロセス回路７により処理されたデータを記憶するメモリ８、そのメモリ８に記憶されたデータの処理を行うパーソナルコンピュータ（ＰＣ）９、更にＣＣＤ３の駆動を行う駆動制御信号を出力するタイミングジェネレータ（ＴＧ）１０等により構成されている。ここでは、ＣＣＤ３は、ラインセンサである。
【０００３】
前述のＣＣＤ３の概略的な構成は、図２に示すものと同様である。このＣＣＤ３は、受光した光を電気信号に変換するフォトダイオード（Ａ，Ｂ，Ｃ，・・・で示す）が複数個一列に配列されたフォトセンサ部である受光部３１、その光電変換された光電荷を後述の転送レジスタ部３３へ転送するトランスファゲート部３２、そのトランスファゲート部３２を介して転送された電荷を、順次出力側へ転送する転送レジスタ部３３等により構成されている。
【０００４】
いま、受光部３１の各フォトダイオードＡ，Ｂ，Ｃ，Ｄ，・・・に光が当たると、各フォトダイオードの蓄積電極（図示省略）に光の強度に応じて光電変換された電荷が蓄積される。受光部３１に蓄積された電荷は、タイミングジェネレータ１０から出力されたゲート制御信号φＴＧにより制御されたトランスファゲート部３２を通して転送レジスタ部３３へ転送される。その後、転送路駆動パルスφＳ１及びφＳ２が反転動作を繰り返す毎に、転送レジスタ部３３の電荷が出力側へ順次転送されていく。転送レジスタ部３３の電荷の転送が完了し、受光部３１で受光された撮像信号が出力されると、不要電荷排出用制御信号としてのＶｓｕｂ信号により受光部３１の電荷が、次の受光の準備のために排出される。
【０００５】
このようにしてＣＣＤ３から出力された電気信号は、その後、前述の図１９に示すように各処理回路によって処理される。
【０００６】
【発明が解決しようとする課題】
しかしながら、従来の撮像装置では、ハード的に、Ａ／Ｄ変換されたデジタルデータの高周波成分を帯域制限するためのＬＰＦ６が必要であるため、ハードウェアの規模が大きくなり、小型化の点からも不利があるという課題がある。
【０００７】
本発明は、従来の撮像装置のこのような課題を考慮し、ハード的なＬＰＦが必要でなく、ハードウェアの規模が大きくならず、小型化の点でも有利である撮像装置を提供することを目的とするものである。
【０００８】
【課題を解決するための手段】
本発明は、光を集光し結像させるレンズと、そのレンズにより結像された光を光電変換するフォトセンサ部及び、その光電変換された電荷をトランスファゲートを介して入力し、順次転送する転送レジスタ部を有する撮像素子と、その撮像素子の駆動制御信号を出力するタイミングジェネレータとを備え、タイミングジェネレータは、撮像素子が多重露光となるように、転送レジスタ部の電荷が所定画素分転送される毎に、フォトセンサ部の光電荷を転送レジスタ部へ入力させるように駆動制御信号を出力することにより、撮像素子による撮像信号のフィルタリングを行う撮像装置である。
【０００９】
【作用】
本発明は、撮像素子が多重露光となるように、タイミングジェネレータが、転送レジスタ部の電荷が所定画素分転送される毎に、フォトセンサ部の光電荷を転送レジスタ部へ入力するように、撮像素子の駆動制御信号を出力する。このことにより、転送レジスタ部で転送される電荷とフォトセンサ部から入力される光電荷とが混合され、結果として撮像信号に対し、ローパスフィルタと同様のフィルタリングが行われる。
【００１０】
【実施例】
以下に、本発明をその実施例を示す図面に基づいて説明する。
【００１１】
図１は、本発明にかかる第１の実施例の撮像装置の構成図である。すなわち、撮像装置は、光を集光し結像させるレンズ１、そのレンズ１を通過する光量を最適に調節する絞り２、レンズ１により得られた結像光を電気信号に変換する撮像素子としてのＣＣＤ３、そのＣＣＤ３からの出力信号を２重相関サンプリングするＣＤＳ回路４、そのＣＤＳ回路４からのアナログデータ出力をデジタルデータに変換するＡ／Ｄ変換器５、その変換されたデジタルデータの処理を行うプロセス回路７、プロセス回路７により処理されたデータを記憶するメモリ８、そのメモリ８に記憶されたデータの処理を行うパーソナルコンピュータ（ＰＣ）９、更にＣＣＤ３を駆動するためのタイミングジェネレータ（ＴＧ）１０等により構成されている。本実施例は、フィルムスキャナーを例とした撮像装置であり、ＣＣＤ３は、ラインセンサである。又、図１から明らかなように、本実施例は、図１９に示す従来例に必要であったＬＰＦ６が不必要であり、タイミングジェネレータ１０から出力されるＣＣＤ３の駆動制御信号を制御することにより、このＬＰＦ６の機能をＣＣＤ３内部で行うという点が大きな特徴である。
【００１２】
次に、上記実施例の撮像装置の動作について、図面を参照しながら説明する。
【００１３】
ここで、ＣＣＤ３の概略的な構成は前述したように図２で示される。又、図３は、本実施例におけるＣＣＤ３の駆動タイミングの一例を説明する図である。図３において、φＴＧ信号は、トランスファゲート部３２の制御パルス（ゲート制御信号）、φＳ１信号及びφＳ２信号が転送路駆動パルスであり、φＴＧ信号は［ＨＩ」期間で受光部３１に蓄積された光電荷が転送レジスタ部３３へ転送され、「ＬＯ」の期間ではこの動作が停止され、一方、φＳ１信号及びφＳ２信号は、レベルが反転する毎に転送レジスタ部３３に蓄積された電荷を指定方向（出力部）に転送する。又、不要電荷排出用制御信号としてのＶｓｕｂ信号が一般的に知られるフォトダイオードの縦抜きの制御パルスであり、このＶｓｕｂ信号は、レベルが「ＨＩ」で基板方向である縦方向に抜き、不要電荷の排出が行われ、「ＬＯ」で保持の状態になる。又、図３の「ａ」から「ｇ」までに示すタイミング位置は、図４に示す各時間「Ｔ＝ａ」から「Ｔ＝ｇ」までに対応している。更に図４において、最上段のＡ，Ｂ，Ｃ，Ｄ，Ｅ，Ｆ，Ｇ，・・・は、図２に示す受光部３１の各フォトダイオードに対応し、「Ｔ＝ａ」から「Ｔ＝ｇ」までの各段は、各時間における転送レジスタ部３３の状態を示す。
【００１４】
まず、時間「Ｔ＝ａ」では、各フォトダイオードＡ，Ｂ，Ｃ，Ｄ，・・・に蓄積された電荷が、トランスファゲート部３２のＯＮ（直前にφＴＧ信号が［ＨＩ」）により転送レジスタ部３３へ転送される（Ａ１，Ｂ１，Ｃ１，Ｄ１，・・・で示す）。次に、「Ｔ＝ｂ」では、φＳ１信号及びφＳ２信号が反転しているため転送レジスタ部３３の電荷は１画素分が図面上右方向に移動した状態になる。この状態で、次に、「Ｔ＝ｃ」では、φＴＧ信号が［ＨＩ」となり、各フォトダイオードＡ，Ｂ，Ｃ，Ｄ，・・・に蓄積された電荷（Ａ２，Ｂ２，Ｃ２，Ｄ２，・・・で示す）が、転送レジスタ部３３へ転送される。そうすると、先ほど移動した電荷と各フォトダイオードからの電荷とが混合され、転送レジスタ部３３の電荷は、Ａ２，Ａ１＋Ｂ２，Ｂ１＋Ｃ２，Ｃ１＋Ｄ２，・・・となる。
【００１５】
次に、「Ｔ＝ｄ」では、φＳ１信号及びφＳ２信号が反転した後、φＴＧ信号が［ＨＩ」となり、転送レジスタ部３３の各電荷が１画素分移動し、更に各フォトダイオードＡ，Ｂ，Ｃ，Ｄ，・・・に蓄積された電荷（Ａ３，Ｂ３，Ｃ３，Ｄ３，・・・で示す）が、転送レジスタ部３３へ転送される。そうすると、先ほど移動した電荷と各フォトダイオードからの電荷とが混合され、転送レジスタ部３３の電荷は、Ａ３，Ａ２＋Ｂ３，Ａ１＋Ｂ２＋Ｃ３，Ｂ１＋Ｃ２＋Ｄ３，・・・となる。ここで、フォトダイオードの電荷は、転送レジスタ部３３の電荷が１画素分転送される毎に入力されるようになっているが、例えば複数画素分転送される毎に入力されるようにしてもよい。
【００１６】
以下、同様にしてこの動作を繰り返し最終的に図４に示す「Ｔ＝ｇ」の状態になる。これは、図５に示す回路構成と同様の結果が得られ、デジタルフィルタの基本的な構成と等価となり、これによりＣＣＤ３内部でのフィルタの効果を得ることが出来る。ここで示すＡ１、Ａ３、Ａ６等における添字は、多重露光の内何回目の露光かを示しており、この実施例では露光回数が６回である。又、図５において、「Ｔ」で示す各ブロックは、１データ分遅らせる遅延手段としての役割を持ち、それぞれ遅れたデータは最終的に加算されて出力される。
【００１７】
ここで、受光部３１の蓄積容量に対して、転送レジスタ部３３が少なくとも多重露光回数倍の蓄積容量を持つＣＣＤ３を用いることによって、各々の受光部と転送レジスタ部、各々のダイナミックレンジを十分に使うことができ、Ｓ／Ｎの向上及びダイナミックレンジのアップが計れる。
【００１８】
また、多重露光の各々の露光時間を制御することによって、フィルタ特性を変更することができ、それと等価なフィルタ構成の一般的な例を図８に示す。すなわち、図３に示すφＴＧ信号、φＳ１信号、φＳ２信号、及びＶｓｕｂ信号のタイミングを、例えば図７に示すように制御することにより、図８に示すようなデジタルフィルタと同等の構成に変えることができる。図８において、ｋ０，ｋ１，ｋ２，ｋ３，ｋ４は、その時のデータに対してどれだけ重みづけを与えるかという係数であり、図７に示すｋ０，ｋ１，ｋ２，ｋ３，ｋ４に相当し、又、Ｔ１，Ｔ２，Ｔ３，Ｔ４は、データを遅らせる遅延ブロックである。このように、図７に示すタイミングパルスをＣＣＤ３に与えることによって、図８に示すようなフィルタ特性を得ることが出来るため、ＣＣＤ３の各駆動制御信号のタイミングを制御することによってフィルタ特性を可変とすることが出来る。
【００１９】
また、図７に示す露光時間Ｔは、多重露光時の各々の露光時間の合計時間であり、この露光時間を通常の露光時間と等しくする。この通常の露光時間は、図１８に示す通常のＣＣＤの駆動における露光時間Ｔであり、通常の露光時間Ｔは、図９（ａ）に示すような転送レジスタ部及びフォトセンサ部の井戸の容量を十分使えるように決められる。以上のように、合計の露光時間Ｔを通常の露光時間Ｔに等しくすることによって、転送レジスタ部のダイナミックレンジを十分に使うことができ、ダイナミックレンジの向上及び、Ｓ／Ｎの向上が計れる。尚、図９（ｂ）は、多重露光時における１回目の転送レジスタ部の井戸の容量のイメージ図である。
【００２０】
また、図７に示す多重露光時の各々の露光時間は、予め設定された通常の露光時間Ｔに対する比率により決定している。従って、例えば、合計の露光時間が変化した場合でも、各々の露光時間は、その比率で決って来るので、フィルタ特性が変わることなく制御することができる。その結果、露光量を可変できるとともに、露光量の変化に対してフィルタ特性が変化することがない。
【００２１】
図１０は、本発明にかかる第２の実施例の撮像装置の構成図である。図１０において、本実施例が図１の第１の実施例の撮像装置と異なる点は、Ａ／Ｄ変換器５から出力されたデジタルデータの平均値を求める加算平均回路１３及び、その求められた平均値に基づいて、タイミングジェネレータ１０へＣＣＤ３に対する駆動制御信号のタイミングの判断結果を出力するマイクロコンピュータ（マイコン）１１を備えた点であり、これにより自動露光調節（ＡＥ）動作を行うことができ、多重露光時における合計の露光時間Ｔを求めることが可能となる。又、ＰＣ９に接続されているのは記憶装置１２であり、ハードディスク装置や光磁気ディスク装置など一般的に設けられているものである。又、レンズ１の前（図面上左側）には、撮像対象となるフィルム及びそのフィルムに光を照射する光源が描かれている。
【００２２】
ここでは、各々の露光時間の比率は、系のモードにより決定する。これは、図１１に示すように、Ａ，Ｂ，Ｃ，Ｄのモードがあるとして、例えば、Ａモードでは、ｋ０  ＝ｋａ０，ｋ１  ＝ｋａ１，ｋ２  ＝ｋａ２，ｋ３  ＝ｋａ３，ｋ４  ＝ｋａ４、以下同様に各モードに対して、それぞれ最適な比率を予め決めておく。そして、Ａ，Ｂ，Ｃ，Ｄのモードの中からいずれかのモードを選択する。そうすると、選択されたモードに対応する係数により、露光動作が行われることによって、所望のモードによる最適なフィルタ特性を選択することができる。
【００２３】
この場合、系のモードは、後の系の必要な画素により決定するようにすれば、所望の必要画素による最適なフィルタ特性を選択できるため、偽信号を抑制できる。又、このとき、必要画素によりＡ／Ｄ変換に対するサンプリング周波数を変えることによって、必要な画素数による必要なデータ量を制御することが出来る。更に、後のプロセス回路７側でリサンプリング周波数を同時に切り換えることによって、データ量を変えることができる。このリサンプリングについては、ＣＣＤ３の出力自体で帯域制限されているために、データレートとしては高域まであったとしても、そもそも持っている帯域が抑えられているため、デジタル系で低周波にリサンプリングをしても折り返し歪が発生せず問題なく行うことができ、そのフィルタ特性に対応してリサンプリング行うことによって、データレート及びデータ数を抑えることができ、記録系の容量なども少なくできる。
【００２４】
また、系のモードの比率を、それぞれ絵柄の種類によって設定しておけば、絵柄の種類に応じて系のモードを切り換えることにより、所望の絵柄の種類に応じた最適なフィルタを選択できる。例えば、絵柄としては人物などを写す場合は、高域を押え気味にしたほうが柔らかい絵になり、又、文字などは輪郭までくっきり写した方がよいということでフィルタ特性を変えれば、被写体に応じて最適なフィルタ特性を設定することが出来る。
【００２５】
また、図１０に示すように、撮像対象がフィルムの場合は、系のモードの比率をフィルムの種類によって設定しておけば、フィルムの種類に応じて系のモードを切り換えることにより、フィルムの種類に応じて最適なフィルタを選択できる。このフィルムの種類というのは、例えば、ＩＳＯ感度において、ＩＳＯ感度が低いものについては細かいものまで再現できるが、ＩＳＯ感度が高いものは粒子が粗くなり、それが浮き上がるという現象が起きる。そのためＩＳＯ感度の高いものに関しては、高域を落とすといった、ＩＳＯ感度の低いものに関しては、高域分を落とさない等の設定が可能になる。
【００２６】
以上の説明では、各々の露光時間の制御を、トランスファゲートのφＴＧ信号のタイミングを制御することにより行っていたが、これを図１２に示すように、φＴＧ信号、φＳ１信号及びφＳ２信号は、ある一定の固定パルスとしておき、Ｖｓｕｂ信号のみを制御することにより、各々の露光時間を制御することができる。この場合、信号のタイミングの制御がＶｓｕｂ信号のみでよいため、制御が簡単に行える。
【００２７】
また、図１３に示すように、転送レジスタ部における読み出し転送を最初の露光時間Ｔ０以内に行うことにより、すなわち、転送レジスタ部の電荷排出時間を、多重露光時の各露光時間の内最初の露光時間以内とすることにより、無駄な時間が存在せず、取り込み時間を最短に設定することが可能になる。
【００２８】
また、多重露光の回数（上記図４に示す実施例では６回）を可変にすることによって、フィルタ特性を可変にでき、図６に示すデジタルフィルタで説明すると、そのタップ数を可変にすることであり、タップ数を変えることによりフィルタ特性を変えることができる。この場合に、多重露光の回数を、例えば、図１４に示すように、最適な回数をＡ，Ｂ，Ｃ，Ｄという４つの系のモードとして設定しておけば、このモードを選択することにより所望のモードによる最適なフィルタ特性を得ることができる。例えば、図１４において、Ｂモードを選択すると、露光回数はｎｂ  が選択される。
【００２９】
図１５は、本発明にかかる第３の実施例の撮像装置の構成図である。図１５において、撮像装置は、光を集光し結像させるレンズ１、そのレンズ１を通過する光量を最適に調節する絞り２、レンズ１により得られた結像光を電気信号に変換するエリアセンサのＣＣＤ１０３、そのＣＣＤ１０３からの出力信号を２重相関サンプリングするＣＤＳ回路４、そのＣＤＳ回路４からのアナログデータ出力をデジタルデータに変換するＡ／Ｄ変換器５、その変換されたデジタルデータの水平方向の帯域制限を行う水平フィルタ１０４、そのフィルタ処理されたデータの処理を行うプロセス回路７、更にＣＣＤ１０３を駆動するためのタイミングジェネレータ（ＴＧ）１１０等により構成されている。
【００３０】
一方、これに対応する従来の撮像装置は、図２０に示すように、水平フィルタ１０４とプロセス回路７との間に、デジタルデータの垂直方向の帯域制限を行う垂直フィルタ１０５が設けられ、その垂直フィルタ１０５には、そのラインのデータを記憶するためのラインメモリ１０６が接続されている。すなわち、本実施例においては、従来必要であった垂直フィルタ１０５及びラインメモリ１０６が不要である。
【００３１】
ここで、エリアセンサのＣＣＤ１０３について、一般的な動作を説明する。ＣＣＤ１０３は、図１６に示すように、垂直方向に１列に並んだフォトダイオード列が、水平方向に複数列並べられたフォトセンサ部、フォトダイオード列と平行に配置された垂直転送レジスタ部及び、その垂直転送レジスタ部の端部に合流するように水平方向に配置された水平転送レジスタ部により構成されている。以上の構成により、フォトセンサ部に入った光は電気信号に変換され、その電荷がトランスファゲート（図示省略）の制御信号により、垂直転送レジスタ部へ送られる。垂直転送レジスタ部へ送られた電荷は、垂直転送パルスにより水平転送レジスタ部に転送され、水平転送レジスタ部へ転送された電荷は、水平転送パルスによって出力される。このときのＣＣＤ出力におけるデータの流れは、図１７に示すように、水平方向に、１−１，２−１，３−１，４−１，・・・，９−１となり、次に、垂直方向に１画素進んで、又、水平方向に１−２，２−２，３−２，４−２，・・・，９−２と流れ、以下同様に全エリアのフォトダイオードが終了するまで転送される。
【００３２】
本実施例においては、垂直方向でのフィルタリングを、前述の第１、又は第２の実施例と同様な方法で行うことにより、水平フィルタ１０４の後の垂直フィルタ１０５及びラインメモリ１０６が不必要となり、回路規模を相当少なくできる。ここで、エリアセンサとラインセンサとを比較すると、ラインセンサの場合は、隣合う部分にフォトセンサがないため、転送レジスタ部が容易に大きく構成できるので、転送路の容量を大きくでき、ダイナミックレンジの向上及びＳ／Ｎの向上に寄与する。
【００３３】
なお、上記実施例では、いずれも多重露光時の露光時間及び露光回数のどちらか一方を変更する構成としたが、これに限らず、露光時間及び露光回数の両方を同時に変更できる構成としてもよい。
【００３４】
また、上記実施例では、いずれもフィルムスキャナー等のイメージスキャナーを例に説明したが、これに限らず、例えば電子デジタルカメラなど、他の撮像装置に適用しても勿論よい。
【００３５】
【発明の効果】
以上述べたところから明らかなように本発明は、タイミングジェネレータが、撮像素子が多重露光となるように、転送レジスタ部の電荷が所定画素分転送される毎に、フォトセンサ部の光電荷を転送レジスタ部へ入力させるように駆動制御信号を出力することにより撮像素子による撮像信号のフィルタリングを行うようにしたので、ハード的なＬＰＦが必要でなく、ハードウェアの規模が大きくならず、小型化の点でも有利であるという長所を有する。
【図面の簡単な説明】
【図１】本発明にかかる第１の実施例の撮像装置の構成図である。
【図２】一般的なＣＣＤ（ラインセンサ）を概略的に示す構成図である。
【図３】同第１の実施例におけるＣＣＤ駆動制御信号のタイミングを示す図である。
【図４】同第１の実施例における転送レジスタ部の動作を示す図である。
【図５】同第１の実施例におけるフィルタ特性と等価なデジタルフィルタを示す構成図である。
【図６】露光回数を制御したフィルタ特性を一般的に示すフィルタの構成図である。
【図７】同第１の実施例における露光時間の制御の一例を示す図である。
【図８】図７のフィルタ特性を示すフィルタの構成図である。
【図９】転送レジスタ部の井戸の容量のイメージを示す図である。
【図１０】本発明にかかる第２の実施例の撮像装置の構成図である。
【図１１】同第２の実施例におけるフィルタ特性の選択の一例を示す図である。
【図１２】同第２の実施例における露光時間の制御の一例を示す図である。
【図１３】同第２の実施例における転送レジスタ部の転送制御の一例を示す図である。
【図１４】同第２の実施例における露光回数選択の一例を示す図である。
【図１５】本発明にかかる第３の実施例の撮像装置の構成図である。
【図１６】同第３の実施例におけるＣＣＤ（エリアセンサ）を概略的に示す構成図である。
【図１７】図１６のＣＣＤ出力におけるデータの流れを示す図である。
【図１８】通常のＣＣＤの駆動における露光時間を説明する図である。
【図１９】従来のラインセンサを用いた撮像装置の構成図である。
【図２０】従来のエリアセンサを用いた撮像装置の構成図である。
【符号の説明】
１    レンズ
２    絞り
３    ＣＣＤ（ラインセンサ）
４    ＣＤＳ回路
５    Ａ／Ｄ変換器
６    ＬＰＦ
１０、１１０    タイミングジェネレータ
３１    受光部
３２    トランスファゲート部
３３    転送レジスタ部
１０３    ＣＣＤ（エリアセンサ）
【図１】
0003618372.tif 000002
【図２】
0003618372.tif 000003
【図３】
0003618372.tif 000004
【図４】
0003618372.tif 000005
【図５】
0003618372.tif 000006
【図６】
0003618372.tif 000007
【図７】
0003618372.tif 000008
【図８】
0003618372.tif 000009
【図９】
0003618372.tif 000010
【図１０】
0003618372.tif 000011
【図１１】
0003618372.tif 000012
【図１２】
0003618372.tif 000013
【図１３】
0003618372.tif 000014
【図１４】
0003618372.tif 000015
【図１５】
0003618372.tif 000016
【図１６】
0003618372.tif 000017
【図１７】
0003618372.tif 000018
【図１８】
0003618372.tif 000019
【図１９】
0003618372.tif 000020
【図２０】
0003618372.tif 000021